(57)【要約】【課題】  音楽に詳しくないユーザであっても、再生される音楽や、聴取環境に応じて最適な音質による音声の再生が可能な受信装置を提供する。【解決手段】  本発明に係る受信装置１は、放送衛星３より受信した放送電波より自機に適したイコライザ設定情報を抽出し、イコライザ設定の有無を選択させる。ユーザがイコライザの設定を選択した場合、当該イコライザ設定情報に基づき再生音声を調整し、音域毎の音量の異なる音声を再生させる。【選択図】        図３
2007013703.tif 000002
【特許請求の範囲】
【請求項１】
放送電波を受信する放送電波受信部と、
前記放送電波に含まれる複数の信号よりイコライザ設定に関する情報を抽出するイコライザ情報抽出部と、
前記イコライザ情報抽出部により抽出されたイコライザ情報に含まれるイコライザ設定を行うか否かをユーザに選択させるイコライザ設定選択部と、
前記イコライザ設定選択部により選択されたイコライザの設定値を設定するイコライザ設定部と、
前記放送電波に含まれる音声信号から音声を再生する際に、前記イコライザ設定部により設定された設定値に基づき複数の音域毎の音量を変更した上で前記音声の再生を行う音声再生部と、からなることを特徴とする受信装置。
【請求項２】
前記放送電波受信部は、前記放送電波として衛星放送用の放送電波を受信することを特徴とする請求項１記載の受信装置。
【請求項３】
前記放送電波受信部は、前記放送電波としてＳバンド衛星デジタル放送用の放送電波を受信することを特徴とする請求項２記載の受信装置。
【請求項４】
前記イコライザ設定選択部は、前記イコライザ情報に含まれる複数のイコライザ設定のうちのいずれかをユーザに選択させることを特徴とする請求項１から３いずれかに記載の受信装置。
【請求項５】
前記イコライザ設定選択部は、前記イコライザ情報に含まれる設定変更可能な音域数の異なる複数のイコライザ設定のうちの自機において設定変更可能な音域数に対応するイコライザ設定のみを抽出した上でユーザに設定の選択をさせることを特徴とする請求項１から４いずれかに記載の受信装置。
【発明の詳細な説明】
【技術分野】
【０００１】
本発明は、受信装置に関し、特に、音声再生の設定変更が可能なＳバンド衛星デジタル法送受信装置に関する。
【背景技術】
【０００２】
携帯容易なテレビ／ラジオ受信装置と、このような携帯用受信装置を対象とした放送システムが開発され、専用の番組放送も開始されている。このような受信装置は携帯容易とするため、当然に小型化が図られてはいるが、技術力の進歩に伴い、画像や音声も高品質なものの再生が可能となる。
【０００３】
高品質の音声の再生が可能となると、その音質にこだわるユーザの存在を無視することはできなくなる。特に、ラジオ放送などにおける音楽番組の聴取においては、本来の音声よりも自分の好みの音質に変更することを望むユーザも多い。
【０００４】
しかし、その一方で、最適な音質に調整するためには、比較的高度な技術を要し、一般的なユーザが最適な音質に調整することは難しい。このような問題に対して、番組放送の音声情報と共に、放送される音楽のジャンルに関する情報を受信し、予め受信装置に設定してある当該ジャンルに適した設定となるようイコライザの設定を変更するという発明もなされている（例えば、特許文献１参照）。
【特許文献１】特開平１１−１４５８６０号公報
【発明の開示】
【発明が解決しようとする課題】
【０００５】
しかしながら、特許文献１に記載の発明の場合、予め各ジャンルのイコライザ情報を設定しておかなければならず、設定されていないジャンルの音楽には対応できない。また、１つのジャンルの音楽であっても、イコライザ設定は必ずしも１通りではなく、最適なイコライザ設定が常に可能とはいえない。
【０００６】
更に、携帯可能な機器の場合、随時その置かれた環境が異なることになるが、屋外の場合や屋内の場合など、周囲の雑音などによって聞き散り難い音域や聞き散りやすい音域が異なってくるので、それぞれに応じて再生される音質を変更できることが望ましいが、このような環境の変化に対しても、上記発明の場合には対応できないため、聴取環境によっては、最適な音声の再生を期待できなくなってしまう。
【０００７】
従って、本発明の目的は、音楽に詳しくないユーザであっても、再生される音楽や、聴取環境に応じて最適な音質による音声の再生が可能な受信装置を提供することにある。
【課題を解決するための手段】
【０００８】
本発明は、上記目的を達成するため、放送電波を受信する放送電波受信部と、前記放送電波に含まれる複数の信号よりイコライザ設定に関する情報を抽出するイコライザ情報抽出部と、前記イコライザ情報抽出部により抽出されたイコライザ情報に含まれるイコライザ設定を行うか否かをユーザに選択させるイコライザ設定選択部と、前記イコライザ設定選択部により選択されたイコライザの設定値を設定するイコライザ設定部と、前記放送電波に含まれる音声信号から音声を再生する際に、前記イコライザ設定部により設定された設定値に基づき複数の音域毎の音量を変更した上で前記音声の再生を行う音声再生部と、からなることを特徴とする受信装置を提供する。
【０００９】
本発明によれば、音楽再生に関する専門家である放送事業者側により最適なイコライザ設定の調整が可能となるので、音楽に詳しくないユーザであっても、携帯用の受信装置において再生される音楽を、最適な音質により聴取することができる。
【００１０】
上記放送電波受信部は、放送電波として衛星放送用の放送電波、特に、Ｓバンド衛星デジタル放送用の放送電波を受信するものであってもよい。
【００１１】
また、上記イコライザ設定選択部は、イコライザ情報に含まれる複数のイコライザ設定のうちのいずれかをユーザに選択させるように構成してもよい。
【００１２】
このように構成することにより、いくつかのイコライザ設定の中から１つの設定を選択することができるので、専門家により調整されたイコライザ設定の中から選択されたユーザの好みの音質で音楽を聴取することができる。
【００１３】
さらに、上記イコライザ設定選択部は、イコライザ情報に含まれる設定変更可能な音域数の異なる複数のイコライザ設定のうちの自機において設定変更可能な音域数に対応するイコライザ設定のみを抽出した上でユーザに設定の選択用に構成してもよい。
【００１４】
このように構成することにより、受信機器の性能に応じたイコライザ設定が可能となるので、受信機器の性能に差が生じてもそれぞれ最適な音質で音楽を聴取することができる。
【発明の効果】
【００１５】
本発明によれば、音楽に詳しくないユーザであっても、携帯用の受信装置において再生される音楽を、常に最適な音質により聴取することができる。
【発明を実施するための最良の形態】
【００１６】
［第１の実施の形態］
以下、本発明に係る受信装置について、図面を参照しつつ説明する。
【００１７】
（システムの構成）
図１は、本発明に係る受信装置１が受信する放送電波の伝達経路の一例を示す概要図である。受信装置１の受信する放送の電波は、放送基地局２から上空へと送信され、宇宙空間に位置する放送衛星３を介して再び地上へと送られ、受信装置１が受信する。
【００１８】
放送基地局２は、テレビ番組放送やラジオ番組放送など、複数の放送を送信可能であり、受信装置１を所有するユーザは、複数の放送の中から好みの番組を選択し、視聴することができる。受信装置１は、後述する画像表示部１４や音声発生部１５を備えており、ユーザがテレビ番組の視聴を望む場合には、画像表示部１４に番組画像が表示され、音声発生部１５から番組音声が発生する。また、ユーザがラジオ番組の聴取を望む場合には、音声発生部１５から番組音声が発生する。
【００１９】
なお、図１における受信装置１は、テレビ放送の受信に対応した装置の例であるため、画像表示機能を有しているが、本発明はこれに限らず、ラジオ放送受信に特化した装置であってもよく、この場合には画像表示部１４は不要となる。
【００２０】
また、図１は衛星放送を受信する場合の例を示したものであるが、本発明はこれに限らず、地上波放送を受信するもの、双方を受信するものなどであってもよい。
【００２１】
（受信装置１の内部構成）
図２は、本発明に係る受信装置１の内部構成を示すブロック図である。
【００２２】
受信装置１は、ＣＰＵ１１と、メモリ１２と、操作部１３と、画像表示部１４と、音声発生部１５と、イコライザ設定部１６と、受信部１７と、メイン内部バス１８とからなる。
【００２３】
ＣＰＵ１１は、受信装置１における各機能の制御を司るものであり、各構成部に対して信号を送信し、各種動作を実行させる。
【００２４】
メモリ１２は、受信装置１を駆動させるためにＣＰＵ１１に実行させるプログラムの格納や、当該プログラムに用いられる各種パラメータ等の一時的な格納、後述するイコライザ情報の一時的な格納のために用いられるものであり、具体的には、ＲＯＭ、ＲＡＭ、ＨＤＤなどが該当する。
【００２５】
操作部１３は、ユーザの受信装置１に対する各種操作の指示を受けるものであり、具体的には、電源スイッチ、選局スイッチ、音量スイッチ、イコライザ設定時の設定指示スイッチなどが該当する。
【００２６】
画像表示部１４は、受信したテレビ番組の画像や、イコライザ設定時の設定状況画面などを表示するものである。
【００２７】
音声発生部１５は、受信したテレビ番組やラジオ番組の音声を発生するものである。
【００２８】
イコライザ設定部１６は、受信したテレビ番組やラジオ番組の音声の音域毎の音量バランスの設定を行うものである。なお、イコライザ設定部１６はハードウエアとして図２に示すように受信装置１の構成部として設けられるものに限らず、プログラムに従いＣＰＵ１１が設定を行うソフトウエアとしての構成であってもよい。
【００２９】
受信部１７は、放送衛星３を介して上空より送られてくる衛星放送の放送電波を受信するアンテナである。
【００３０】
（受信装置１におけるイコライザ設定変更の動作）
次に本発明に係る受信装置１における、イコライザ設定変更時の動作について、図３を参照しつつ説明する。
【００３１】
図３は、本発明に係る受信装置１におけるイコライザ設定変更の動作を示す機能ブロック図の一例である。
【００３２】
受信装置１は、電波受信部１０１と、イコライザ情報分離部１０２と、イコライザ情報解析部１０３と、指示入力部１０４と、イコライザ設定決定部１０５と、画像／音声分離部１０６と、音声作成部１０７と、画像再生部１０８と、音声再生部１０９とからなる。
【００３３】
電波受信部１０１は、放送衛星３より送られてくる衛星放送電波を受信するものであり、図２においては受信部１７に相当する。電波受信部１０１が衛星放送電波を受信すると、受信した当該電波を信号に変換し、後述のイコライザ情報分離部１０２へ送信する。
【００３４】
イコライザ情報分離部１０２は、電波受信部１０１より送信されてきた信号から、イコライザ情報を分離するためのものであり、図２においては受信部１７に相当する。電波受信部１０１が受信した衛星放送電波には、画像情報や音声情報と共に、イコライザ設定に関する情報も含まれている。イコライザ情報分離部１０２は、電波受信部１０１より送信されてきた信号の中から分離したイコライザ情報を後述のイコライザ情報解析部１０３へ、画像情報や音声情報は後述の画像／音声分離部１０６へ、それぞれ送信する。
【００３５】
イコライザ情報解析部１０３は、イコライザ情報分離部１０２から送信されたイコライザ情報を解析し、本受信装置に適応するイコライザ情報を抽出するものであり、図２においてはイコライザ設定部１６に相当する。イコライザ情報解析部１０３は受信したイコライザ情報を解析した上、後述するイコライザ設定決定部１０５へ送信すると共に、ユーザ４からの指示に応じて、後述する画像再生部１０８にイコライザ設定画面を再生させる。
【００３６】
指示入力部１０４は、ユーザ４が受信装置１における番組の音声再生時のイコライザ設定を変更する際の指示入力を受信するものであり、図２においては操作部１３に相当する。ユーザ４がイコライザ設定画面を表示するよう指示した場合には、その指示を後述の画像再生部１０８に送信して当該画面を表示させ、また、ユーザ４がイコライザ設定画面に従って設定変更を指示した場合には、その指示を後述のイコライザ設定決定部１０５へ送信して設定を変更させる。
【００３７】
イコライザ設定決定部１０５は、受信装置１における番組の音声再生時のイコライザ設定の変更を決定するためのものであり、図２においてはイコライザ設定部１６に相当する。イコライザ設定決定部１０５は、ユーザ４によるイコライザ設定の決定の指示を指示入力部４より受信した場合には、決定したイコライザ設定に関する情報を後述の音声作成部１０７へ送信する。
【００３８】
画像／音声分離部１０６は、イコライザ情報分離部１０２より送信された画像情報と音声情報の混合信号を、画像信号と音声信号とに分離するものである。図２においては受信部１７に含まれるものとして構成されており、特に記載されてはいないが、別個のハードウエアとして独立して構成してもよい。画像／音声分離部１０６は、画像情報と音声情報の混合信号を受信すると、当該信号を画像信号と音声信号とに分離した上で、画像信号は後述の画像再生部１０８へ、音声信号は後述の音声作成部１０７へ、それぞれ送信する。
【００３９】
音声作成部１０７は、画像／音声分離部１０６より送信された音声信号より、イコライザ設定決定部１０５より送信されたイコライザ設定に関する情報に基づいた音声を作成するものであり、図２においては音声発生部１５に相当する。音声作成部１０７は、画像／音声分離部１０６から受信したデジタルの音声信号をアナログに変換し、更に複数の音域毎に分離する。そして各音域の音量の比率を、イコライザ設定決定部１０５から受信したイコライザ設定情報に応じて変更して、１つの新たな音声信号とする。そして、その新たな音声信号を後述の音声再生部１０９へ送信する。
【００４０】
画像再生部１０８は、画像／音声分離部１０６より送信された画像信号を再生して、画像を表示するものであり、図２においては画像表示部１４に相当する。具体的にはモニタ１４１（図５参照）等である。画像再生部１０８は、画像／音声分離部１０６より画像信号を受信し、モニタ１４１上に表示する。
【００４１】
音声再生部１０９は、音声作成部１０７より送信された音声信号を再生して、音声を発生するものであり、図２においては音声発生部１５に相当する。具体的にはスピーカ等である。音声再生部１０９は、音声作成部１０７より音声信号を受信し、スピーカより音声を発生する。
【００４２】
（受信信号の構成）
図４は、本発明に係る受信装置１の受信する受信信号の構成例を示す図である。
【００４３】
本発明に係る受信装置１は、放送衛星３より送信される放送電波２０を受信し、そこからイコライザ情報を抽出する。放送電波２０には、番組特定情報（ＰＳＩ：Program Specific Information）２１と、番組配列情報（ＳＩ：Service Information）２２と、音声情報２３と、画像情報２４の各信号が含まれている。
【００４４】
ＳＩ２２には、イベントを構成する音声コンポーネントストリームに関する情報を記述する音声コンポーネント記述子３１が存在する。この音声コンポーネント記述子３１の中に、送信側である放送局により所望のイコライザ設定に関するイコライザ情報３２が記述されている。
【００４５】
イコライザ情報３２には、予め複数のイコライザ設定が記述可能であり、例えば、受信機側のイコライザ設定が低域・中域・高域の３バンドの帯域で設定可能な機種と、低域・低中域・中域・中高域・高域の５バンドの帯域で設定可能な機種とが存在する場合には、それぞれの機種に対応可能なイコライザ設定として、３バンド機器用４１と、５バンド機器用４２の２種のイコライザ設定が記述される。
【００４６】
更に、３バンド機器用４１と、５バンド機器用４２の各イコライザ設定について、それぞれ複数の設定が可能であり、３バンド機器用４１に３つのイコライザ設定が設定されていたとすると、それぞれ、設定１（４１１）、設定２（４１２）、設定３（４１３）として記述される。また、５バンド機器用４２にも３つのイコライザ設定が設定されていたとすると、それぞれ、設定４（４２１）、設定５（４２２）、設定６（４２３）として記述される。
【００４７】
受信機側においては、その受信機が３バンドでの設定可能な機器の場合には３バンド機器用４１のイコライザ設定を、５バンドでの設定可能な機器の場合には５バンド機器用４２のイコライザ設定を、それぞれ選択し、更にその中の複数の設定のいずれかを、ユーザに選択させることになる。
【００４８】
（イコライザ設定信号に応じた受信側の設定変更）
図５は、イコライザ情報３２に含まれる１のイコライザ設定情報に対応した、受信側である受信装置１におけるイコライザの設定変更の様子を示す図である。
【００４９】
イコライザ情報３２に含まれる１の３バンド機器用のイコライザ設定情報５１には、低域、中域、高域のそれぞれの設定値が記述されている。各帯域の設定値は、基準値から最大値（Max. Level）に対してどの程度の割合で増幅させるか、または最小値（Min. Level）に対してどの程度の割合で減衰させるかを、数値で記述される。図５においては、低域５１１の値が＋２／３、中域５１２の値が−１／４、高域５１３の値が＋１／２と設定されている。この場合、低域５１１については最大値の２／３まで増幅させ、中域５１２については最小値の１／４まで減衰させ、高域５１３については最大値の１／２まで増幅させることになる。
【００５０】
この設定内容を、受信装置１に反映させた場合、各受信装置の性能に応じて異なることになる。例えば、イコライザ調整が−１０ｄＢ〜＋１０ｄＢの範囲で可能な機器においては、そのイコライザ個別設定５２は、低域５２１において＋６．７ｄＢ，中域５２２において−２．５ｄＢ、高域５２３において＋５．０ｄＢ、となる。一方、イコライザ調整が−２０ｄＢ〜＋２０ｄＢの範囲で可能な機器においては、そのイコライザ個別設定５３は、低域５３１において＋１３．３ｄＢ，中域５３２において−５．０ｄＢ、高域５３３において＋１０．０ｄＢ、となる。
【００５１】
（イコライザ設定方法）
図６は、ユーザにイコライザ設定の選択をさせる際に表示する設定画面の表示例を示す図である。
【００５２】
図６（ａ）は、イコライザ設定を行うか行わないかの選択をユーザに促す際の画面の表示例である。画像表示部１４を構成するモニタ１４１上には、イコライザ設定をするかしないかの選択を促すための設定有無選択画面１４２が表示される。設定有無選択画面１４２には、イコライザ設定を「する」「しない」の２つの項目が表示されており、ユーザは操作部１３を操作することにより、いずれかの項目を選択する。
「しない」を選択した場合には、新たなイコライザ設定は行われず、それまでのイコライザ設定が持続される。一方、「する」を選択した場合には、新たな画面が表示される。
【００５３】
図６（ｂ）は、ユーザがイコライザ設定を「する」と選択した後に表示される、イコライザ設定の選択内容を表示する画面の表示例である。モニタ１４１上には、新たに設定内容選択画面１４３が表示される。設定内容選択画面１４３には、複数のイコライザ設定の項目と、各設定の設定内容が表示される。各設定の設定内容とは、複数の帯域（３バンド機器においては、低域、中域、高域）毎の設定値であり、この内容を見て、ユーザは自分の好みの設定を選択することができる。
【００５４】
また、予め放送送信側による設定内容に限られず、ユーザ自身の好みの設定に調整できるよう、手動設定が可能となるよう構成してもよい。
【００５５】
更に、図６（ｂ）においては、複数の設定内容は、設定１、設定２、設定３と抽象的な表記にとどまっているが、室内用、屋外用、雑踏用など、番組視聴時の受信装置１の置かれた環境に応じて最適なイコライザ設定を提供するように構成してもよい。
【００５６】
（イコライザ設定時の動作フロー）
本発明に係る受信装置１における、イコライザ設定時の動作を、フローチャートを参照しつつ説明する。尚、以下、特別の表記がない限り、各ステップにおける動作はＣＰＵ１１においてなされるものとする。
【００５７】
図７は、受信装置１におけるイコライザ設定時の動作を示すフローチャートである。
【００５８】
最初に、放送電波を受信させる（ステップＳ１０１）。受信装置１が起動すると、受信したテレビ放送のまたはラジオ放送の再生をするために、受信部１７に放送衛星３より送信される放送電波を受信させる。そして受信した放送電波に含まれる各種信号の中から、イコライザ情報を分離させ（ステップＳ１０２）、分離されたイコライザ情報はイコライザ設定部１６へ送信させる。
【００５９】
次に、ユーザからイコライザ設定の要求があったか否かの判断を行う（ステップＳ１０３）。操作部１３を介したユーザからのイコライザ設定の要求がないと判別した場合には（Ｓ１０３：ＮＯ）、何ら設定変更を行うことなく後述のステップＳ１０８へと処理を移し、操作部１３を介したユーザからのイコライザ設定の要求があったと判別した場合には（Ｓ１０３：ＹＥＳ）、イコライザ設定部１６に対して、受信部１７より送信されたイコライザ情報の中から、受信装置１において設定可能なイコライザのバンド数に対応したイコライザ情報を選択させる（ステップＳ１０４）。即ち、受信装置１が３バンド帯域についての調整可能なイコライザ機能を搭載する機器である場合には３バンド機器用のイコライザ設定の情報を、受信装置１が５バンド帯域についての調整可能なイコライザ機能を搭載する機器である場合には５バンド機器用のイコライザ設定の情報を、選択することになる。
【００６０】
次に、イコライザ設定の選択画面の表示を行う（ステップＳ１０５）。ＣＰＵ１１は、画像表示部１４を構成するモニタ１４１に上述の図６（ｂ）に示す設定内容選択画面１４３の如き画面を表示させる。
【００６１】
次に、イコライザ設定の内容の選択が決定されたか否かの判断がなされる（ステップＳ１０６）。ユーザの操作部１３の操作により、イコライザ設定の選択がまだ決定していないと判別した場合には、この処理を繰り返し、イコライザ設定の選択が完了したと判別した場合には、その設定値に従ってイコライザの設定を変更し（ステップＳ１０７）、その新たな設定し従い、音声信号を音声発生部１５において変換し、音声を発生させる（ステップＳ１０８）。
【００６２】
このような構成を採ることにより、音楽再生に関する専門家である放送事業者側により最適なイコライザ設定の調整が可能となるので、音楽に詳しくないユーザであっても、携帯用の受信装置において再生される音楽を、最適な音質により聴取することができる。
【図面の簡単な説明】
【００６３】
【図１】本発明に係る受信装置１が受信する放送電波の伝達経路の一例を示す概要図である。
【図２】本発明に係る受信装置１の内部構成を示すブロック図である。
【図３】本発明に係る受信装置１におけるイコライザ設定変更の動作を示す機能ブロック図の一例である。
【図４】本発明に係る受信装置１の受信する受信信号の構成例を示す図である。
【図５】イコライザ情報３２に含まれる１のイコライザ設定情報に対応した、受信側である受信装置１におけるイコライザの設定変更の様子を示す図である。
【図６】ユーザにイコライザ設定の選択をさせる際に表示する設定画面の表示例を示す図である。
【図７】受信装置１におけるイコライザ設定時の動作を示すフローチャートである。
【符号の説明】
【００６４】
１、受信装置  ２、放送基地局  ３、放送衛星  １１、ＣＰＵ  １２、メモリ
１３、操作部  １４、画像表示部  １５、音声発生部  １６、イコライザ設定部
１７、受信部  １８、メイン内部バス  ２０、放送電波  ２１、ＰＳＩ  ２２、ＳＩ
２３、音声情報  ２４、画像情報  ３１、音声コンポーネント記述子
３２、イコライザ情報  ４１、３バンド機器用イコライザ設定
４２、５バンド機器用イコライザ設定  ５１、イコライザ設定情報
５２、５３、イコライザ個別設定  １０１、電波受信部  １０２、イコライザ情報分離部
１０３、イコライザ情報解析部  １０４、指示入力部  １０５、イコライザ設定決定部
１０６、画像／音声分離部  １０７、音声作成部  １０８、画像再生部
１０９、音声再生部  １４１、モニタ  １４２、設定有無選択画面
１４３、設定内容選択手段  ４１１、設定１  ４１２、設定２  ４１３、設定３
４２１、設定４  ４２２、設定５  ４２３、設定６  ５１１、５２１、５３１、低域
５１２、５２２、５３２、中域  ５１３、５２３、５３３、高域
【図１】
2007013703.tif 000003
【図２】
2007013703.tif 000004
【図３】
2007013703.tif 000005
【図４】
2007013703.tif 000006
【図５】
2007013703.tif 000007
【図６】
2007013703.tif 000008
【図７】
2007013703.tif 000009